(57)【要約】【課題】機枠と前面扉との隙間等からピアノ線等を挿入して入賞装置を無理矢理に開放させる不正行為を効果的に防止することが可能な実用性の高い遊技機を提供する。【解決手段】パチンコ機１は、発射された遊技球を遊技領域へ導くための内側レール８と外側レールとからなるレール部材が、遊技盤３の盤面上に円周状に設置されている。そして、内側レール８の長手方向に沿って、軟質の合成樹脂によって形成された帯状の封止部材１０が付設されており、その封止部材１０の前側の片側縁が、閉じた状態の前面扉のガラス板５の内面と接した状態になっている。【選択図】図５
2008212218.tif 000002
【特許請求の範囲】
【請求項１】
遊技盤面上に、遊技球発射装置によって発射された遊技球を上方へ導くためレール部材が円周状あるいは円弧状に設置されているとともに、遊技盤面の前方に、透明板を嵌め込んだ前面扉が片開き自在に蝶着された遊技機であって、
前記レール部材の少なくとも一部の長手方向に沿って、軟質の合成樹脂によって形成された帯状の封止部材が付設されており、その封止部材の前側の片側縁が、閉じた状態の前面扉の内面と接していることを特徴とする遊技機。
【請求項２】
レール部材が合成樹脂によって形成されているとともに、封止部材がインサート成形によってレール部材に融着されていることを特徴とする請求項１に記載の遊技機。
【請求項３】
レール部材の裏面に長手方向に沿って凹状部分が設けられており、その凹状部分に封止部材の後側の片側縁が取り付けられていることを特徴とする請求項１、または請求項２に記載の遊技機。
【請求項４】
封止部材の先端部分が、レール部材の円周あるいは円弧の中心から外向きに突出した状態になっており、遊技盤面の法線に対して傾斜した状態で閉じた前面扉の透明板の内面と接していることを特徴とする請求項１〜３のいずれかに記載の遊技機。
【請求項５】
封止部材の先端が基端に比べて薄肉状になっていることを特徴とする請求項１〜４のいずれかに記載の遊技機。
【請求項６】
レール部材が、内側レールと外側レールとによって二重の円周を形成した状態で遊技盤面上に設置されており、前記内側レールに封止部材が付設されていることを特徴とする請求項１〜５のいずれかに記載の遊技機。
【発明の詳細な説明】
【技術分野】
【０００１】
本発明は、パチンコ機、スマートボール機等の遊技機に関するものであり、詳しくは、ピアノ線等を用いて強制的に入賞装置を開放させる不正行為を効果的に防止することが可能な遊技機に関するものである。
【背景技術】
【０００２】
遊技機の一種であるパチンコ機は、発射装置によって発射された遊技球を上方へ導くためレール部材が、遊技盤面上に円周状あるいは円弧状に設置されている。そして、その内部の遊技領域に、各種の入賞口が設けられているとともに、多数の障害釘が植設されている。また、遊技盤の前方には、ガラス板を嵌め込んだ扉が片開き自在に設けられている。
【０００３】
かかるパチンコ機においては、遊技盤を固定する枠とガラス板を設けた扉との隙間からピアノ線等の細い針金を挿入して、開閉式の入賞装置を無理矢理に開放させる不正行為（所謂、ピアノ線ゴト行為）が行われることがある。それゆえ、そのような不正行為を防止すべく、遊技盤を固定する枠とガラス板を設けた扉との間に弾性部材を介在させたパチンコ機が提案されている（特許文献１）。
【０００４】
【特許文献１】特開２００４−２７５２５７号公報
【発明の開示】
【発明が解決しようとする課題】
【０００５】
しかしながら、遊技盤を固定する枠とガラス板を設けた扉との隙間の全体に亘って漏れなく弾性部材を設置することは現実的には不可能であり、弾性部材のない部分からピアノ線等が挿入されてしまうこともある。また、供給皿に設けられた賞品球払出口等からピアノ線や細い針金が挿入されることもあり、従来の遊技盤を固定する枠とガラス板を設けた扉との間に弾性部材を介在させる方法は、ピアノ線ゴト行為の防止効果が十分であるとはいえなかった。
【０００６】
本発明の目的は、上記従来のパチンコ機が有する課題を解消し、ピアノ線ゴト行為を効果的に防止することが可能な実用性の高いパチンコ機を提供することにある。
【課題を解決するための手段】
【０００７】
かかる本発明の内、請求項１に記載された発明は、遊技盤面上に、遊技球発射装置によって発射された遊技球を上方へ導くためレール部材が円周状あるいは円弧状に設置されているとともに、遊技盤面の前方に、透明板を嵌め込んだ前面扉が片開き自在に蝶着された遊技機であって、前記レール部材の少なくとも一部の長手方向に沿って、軟質の合成樹脂によって形成された帯状の封止部材が付設されており、その封止部材の前側の片側縁が、閉じた状態の前面扉の内面と接していることを特徴とするものである。なお、本発明でいう軟質の合成樹脂とは、ポリエステル系エラストマー等のエラストマー、酢酸ビニル樹脂、シリコーンゴム、天然ゴム、ポリエチレン、ポリプロピレン等の通常のポリエステル樹脂やポリアクリル樹脂と比較して硬度の低い各種の樹脂のことである。
【０００８】
請求項２に記載された発明は、請求項１に記載された発明において、レール部材が合成樹脂によって形成されているとともに、封止部材がインサート成形によってレール部材に融着されていることを特徴とするものである。
【０００９】
請求項３に記載された発明は、請求項１、または請求項２に記載された発明において、レール部材の裏面に長手方向に沿って凹状部分が設けられており、その凹状部分に封止部材の後側の片側縁が取り付けられていることを特徴とするものである。
【００１０】
請求項４に記載された発明は、請求項１〜３のいずれかに記載された発明において、封止部材の先端部分が、レール部材の円周あるいは円弧の中心から外向きに突出した状態になっており、遊技盤面の法線に対して傾斜した状態で閉じた前面扉の透明板の内面と接していることを特徴とするものである。
【００１１】
請求項５に記載された発明は、請求項１〜４のいずれかに記載された発明において、封止部材の先端が基端に比べて薄肉状になっていることを特徴とするものである。
【００１２】
請求項６に記載された発明は、請求項１〜５のいずれかに記載された発明において、レール部材が、内側レールと外側レールとによって二重の円周を形成した状態で遊技盤面上に設置されており、前記内側レールに封止部材が付設されていることを特徴とするものである。
【発明の効果】
【００１３】
請求項１に記載の遊技機は、レール部材の長手方向に沿って、軟質の合成樹脂によって形成された帯状の封止部材が付設されており、その封止部材の前側の片側縁が、閉じた状態の前面扉の内面と接しているため、前面扉と機枠との隙間や供給皿の賞品球払出口等からピアノ線等が挿入された場合には、そのピアノ線等の先端が、当接し合った封止部材と透明板の内面との間を通らなければ、遊技領域へ到達し得ないので、入賞装置を無理矢理に開放させる不正行為を効果的に防止することができる。
【００１４】
請求項２に記載の遊技機は、レール部材が合成樹脂によって形成されているとともに、封止部材がインサート成形によってレール部材に融着されているため、レール部材と封止部材との接合強度が高く、長期間に亘って使用した場合でも、封止部材がレール部材から脱離せず、不正行為防止機能を保持することができる。また、封止部材が、レール部材上への遊技球の落下による衝撃を吸収するので、レール部材が損傷しにくい。
【００１５】
請求項３に記載の遊技機は、レール部材の裏面に長手方向に沿って凹状部分が設けられており、その凹状部分に封止部材の後側の片側縁が取り付けられているため、封止部材がレール部材上への遊技球の落下による衝撃をより効果的に吸収し、レール部材の損傷を高い精度で防止することができる。
【００１６】
請求項４に記載された遊技機は、封止部材の先端が、レール部材から外向きに突出しており、傾斜した状態で閉じた前面扉の透明板の内面と接しているため、前面扉の内面と封止部材との接触面積が広いので、ピアノ線ゴト行為を効率的に防止することができる。
【００１７】
請求項５に記載された遊技機は、封止部材の先端が基端に比べて薄肉状になっているため、封止部材の先端部分の柔軟性が高く、封止部材の先端を前面扉の内面に密着させることができるので、ピアノ線ゴト行為を非常に効率的に防止することができる。
【００１８】
請求項６に記載された遊技機は、レール部材が、内側レールと外側レールとによって二重の円周を形成した状態で遊技盤面上に設置されており、内側レールに封止部材が付設されているため、前面扉と機枠との隙間や供給皿の賞品球払出口から離れた位置でピアノ線の侵入を阻止することによって、不正行為者によるピアノ線の操作を一層困難なものとするので、ピアノ線ゴト行為をきわめて効率的に防止することができる。
【発明を実施するための最良の形態】
【００１９】
以下、本発明の遊技機の一実施形態であるパチンコ機について、図面に基いて詳細に説明する。
【００２０】
＜実施例のパチンコ機の構成＞
図１は、本発明に係るパチンコ機１を示したものであり、パチンコ機１は、周囲が機枠２によって覆われており、前面の上部には、遊技盤３が設置されている。また、機枠２の左端縁には、前面扉４が片開き可能に設置されており、前面扉４を閉じると、前面扉４に嵌め込まれたガラス板５が遊技盤３の前面を覆うようになっている。さらに、遊技盤３の盤面上には、レール部材６が円周状に設置されており、その内部が略円形の遊技領域Ｒとして区画された状態になっている。
【００２１】
図２は、レール部材６を示したものであり、レール部材６は、略円周状に形成された金属製の外側レール７と、略半円周状に形成された合成樹脂製の内側レール８とによって構成されている。そして、内側レール８は、外側レール７の右側の基端に連設されており、外側レール７の左側の部分の内側に位置した状態になっている。
【００２２】
図３、図４は、内側レール８を示したものであり、図５は、内側レール８の設置部分の断面の様子を示したものである。内側レール８は、硬質の合成樹脂（ポリカーボネート）によって略半円周状に一体成形されたベース体９と、そのベース体９の裏面の前方周縁に沿って設けられた軟質の合成樹脂（ポリエステル系エラストマー）からなる封止部材１０とによって構成されている。
【００２３】
ベース体９は、所定の幅を有する支持板１１が基端に設けられており、その支持板１１の裏面側（後面側）には、内側レール８を遊技盤３の盤面上に固定するためのリブ１２，１２・・が突設されている。一方、支持板１１の表面側（前面側）には、一定の厚みを有する一定幅の帯状の遊技球載置板１４が、支持板１１と直交するように形成されている。また、ベース体９の右端縁際には、遊技球を通過させるための通過孔１５が穿設されており、その通過孔１５の下側には、通過孔１５の下側に位置した遊技球載置板１４を補強するための補強リブ１６，１６・・が設けられている。さらに、それらの補強リブ１６，１６・・の右側には、内側レール８を遊技盤面に螺着するため取付片１７が設けられている。
【００２４】
また、図５に示すように、遊技球載置板１４の裏面の前方側には、一定幅の凹状部分１８が設けられており（遊技球載置板１４の前方側の部分が基端側の部分に比べて薄肉に形成されており）、その凹状部分１８に、一定幅の帯状の封止部材１０が、遊技球載置板１４の板面に対して傾斜した状態で遊技球載置板１４から外側へ突出するように一体的に設けられている。当該封止部材１０は、形成後のベース体９を予め設置した金型内に封止部材形成用の樹脂を射出することによって成形する方法（所謂、インサート成形法）によって、ベース体９の凹状部分１８に一体的に融着されている。封止部材１０は、後側（ベース体９との融着側）から前側（ベース体９との融着側と反対側）にかけて、厚みが次第に薄くなるように形成されており、前面扉４が閉じられた場合には、図５（ｂ）の如く、封止部材１０の先端部分が、ガラス板５の内面と密着するようになっている。
【００２５】
一方、図１に示すように、遊技領域Ｒの中央上部には、各種の動画を表示可能な液晶画面を有する大型の表示装置２３が設けられている。また、遊技領域Ｒには、大入賞口２２等の入賞装置、風車が設置されており、多数の障害釘等が植設されている。また、遊技領域Ｒの下方には、遊技球を貯留させるための供給皿１９と貯留皿２０とが、上下に連設されており、供給皿１９の右側には、遊技領域Ｒに遊技球を発射するための発射装置（図示せず）が内蔵されている。そして、貯留皿２０の右側には、発射装置を操作するための発射ハンドル２１が突設されている。
【００２６】
＜実施例のパチンコ機の作動内容＞
上記の如く構成されたパチンコ機１においては、遊技者等によって発射ハンドル２１が回動操作されると、発射装置（図示せず）によって遊技球が発射され、発射された遊技球が、外側レール７の表面上を転動しながら外側レール７と内側レール８との間を通って遊技領域Ｒの上部へ誘導される。そして、誘導された遊技球が各種の入賞装置に入賞した場合（たとえば、開成した大入賞口２２の内部へ入り込んだ場合）には、賞品球として、所定数の遊技球が、遊技球払出装置（図示せず）によって払い出されるようになっている。
【００２７】
一方、打ち込まれた遊技球が、入賞しなかった場合には、当該遊技球が内側レール８の遊技球載置板１４の内面上を転動して通過孔１５から回収されるようになっている。なお、内側レール８には、軟質の合成樹脂製の封止部材１０が一体的に設けられているので、遊技盤３の盤面上を流下した遊技球が遊技球載置板１４上に衝突する際の衝撃が、当該封止部材１０によって効率的に吸収される。
【００２８】
また、上記の如く、前面扉４を閉じると、封止部材１０の先端部分がガラス板５の内面と密着した状態となるため、前面扉４と機枠２との隙間等からピアノ線等が挿入された場合には、そのピアノ線等の先端が、密着し合った封止部材１０とガラス板５の内面との間を通らなければ、遊技領域Ｒへ到達し得なくなる。したがって、大入賞口２２等の入賞装置を無理矢理にこじ開ける不正行為を非常に効率的に阻止することが可能となる。
【００２９】
＜実施例のパチンコ機の効果＞
パチンコ機１は、上記の如く、レール部材６（内側レール８）の長手方向に沿って、軟質の合成樹脂によって形成された帯状の封止部材１０が付設されており、その封止部材１０の前側の片側縁が、閉じた状態の前面扉４のガラス板５の内面と接しているため、前面扉４と機枠２との隙間等からピアノ線等が挿入された場合には、そのピアノ線等の先端が、当接し合った封止部材１０とガラス板５の内面との間を通らなければ、遊技領域Ｒへ到達し得ないので、大入賞口２２等の入賞装置を無理矢理に開放させる不正行為を効果的に防止することができる。
【００３０】
また、パチンコ１機は、内側レール８が合成樹脂によって形成されているとともに、封止部材１０がインサート成形によって内側レール８に融着されているため、内側レール８と封止部材１０との接合強度が高く、長期間に亘って使用した場合でも、封止部材１０が内側レール８から脱離せず、不正行為防止機能を保持することができる。また、封止部材１０が、内側レール８上への遊技球の落下による衝撃を吸収するので、内側レール８が損傷しにくい。
【００３１】
さらに、パチンコ機１は、内側レール８の裏面に長手方向に沿って凹状部分１８が設けられており、その凹状部分１８に封止部材１０の後側の片側縁が取り付けられているため、封止部材１０が内側レール８上への遊技球の落下による衝撃をより効果的に吸収し、内側レール８の損傷を高い精度で防止することができる。
【００３２】
加えて、パチンコ機１は、封止部材１０の先端が、内側レール８から外向きに突出しており、傾斜した状態で閉じた前面扉４のガラス板５の内面と接しているため、前面扉４のガラス板５の内面と封止部材１０との接触面積が広いので、ピアノ線ゴト行為を効率的に防止することができる。
【００３３】
また、パチンコ機１は、封止部材１０の先端が基端に比べて薄肉状になっているため、封止部材１０の先端部分の柔軟性が高く、封止部材１０の先端をガラス板５の内面に密着させることができるので、ピアノ線ゴト行為を非常に効率的に防止することができる。
【００３４】
さらに、パチンコ機１は、レール部材６が、内側レール８と外側レール７とによって二重の円周を形成した状態で遊技盤３の盤面上に設置されており、内側レール８に封止部材１０が付設されているため、前面扉４と機枠２との隙間や供給皿１９の賞品球払出口から離れた位置でピアノ線の侵入を阻止することによって、不正行為者によるピアノ線の操作を一層困難なものとするので、ピアノ線ゴト行為をきわめて効率的に防止することができる。
【００３５】
＜パチンコ機の変更例＞
なお、本発明の遊技機の構成は、上記実施形態の態様に何ら限定されるものではなく、レール部材、封止部材の形状・構造等の構成を、本発明の趣旨を逸脱しない範囲で適宜変更することができる。
【００３６】
たとえば、レール部材は、合成樹脂によって製造されたものに限定されず、金属によって形成されたものでも良い。また、レール部材を合成樹脂によって形成する場合には、原料はポリカーボネートに限定されず、ポリブチレンテレフタレート、ポリアミド等に変更することができる。一方、封止部材の原料も、上記実施形態の如きポリエステル系エラストマーに限定されず、酢酸ビニル樹脂、シリコーンゴム、ポリエステル系エラストマー以外のエラストマー、ポリエチレン等に変更することができる。
【００３７】
なお、レール部材および封止部材の材質としては、各種の熱可塑性樹脂を使用することができるが、上記実施形態の如く、レール部材としては強靭で耐衝撃性に優れるＰＣを用い、封止部材としてはゴム弾性を有するＥＶＡを用いることが望ましい。加えて、レール部材および封止部材の材質は、それぞれ、硬質材料、軟質材料であれば良く、上記実施形態の材質に何ら限定されない。
【００３８】
また、封止部材形成用の軟質材料としては、ゴム材料を使用することも可能である。かかるゴム材料としては、たとえば、天然ゴム、合成天然ゴム、クロロプレンゴム、ニトリルゴム、エチレンプロピレンゴム、ブチルゴム、ウレタンゴム、フッ素ゴム、シリコーンゴム、アクリルゴム、ニトリルブタジエンゴム、ブタジエンゴム、イソプレンゴム、スチレンブタジエンゴム、ハイパロンゴム、スチレンゴム等を挙げることができるが、それらに限定されるものではない。
【００３９】
また、レール部材や封止部材に使用する熱可塑性樹脂としては、ＰＥ（ポリエチレン）、ＬＤＰＥ（低密度ポリエチレン）、ＨＤＰＥ（高密度ポリエチレン）、ＥＶＡ（エチレン酢酸ビニル共重合体）、ＰＰ（ポリプロピレン）、ＰＭＰ（ＴＰＸ）（ポリメチルペンテン）等のオレフィン系樹脂、ＰＳ（ポリスチレン）等のスチレン系樹脂、ＳＡＮ（ＡＳ樹脂）、ＡＢＳ樹脂、ＰＭＭＡ（アクリル樹脂）、ＰＶＣ（ポリ塩化ビニル）、塩化ビニリデン樹脂、ＰＶＤＦ（ポリフッ化ビニリデン）等のビニル系樹脂、ＰＴＦＥ（フッ素樹脂の代表的なもの）等のフッ素系樹脂、ＰＥＴ（ポリエチレンテレフタレート）、ＰＢＴ（ポリブチレンテレフタレート）、ＰＣ（ポリカーボネート）、ＰＡＲ（ポリアリレート）等のポリエステル系樹脂、ＬＣＰ（液晶ポリエステル／液晶ポリマー）、ＰＯＭ（ポリアセタール）、ＰＰＥ（ＰＰＯ）（ポリフェニレンエーテル）、ＰＳＦ（ＰＳＵ）（ポリサルホン）、ＰＥＳ（ポリエーテルサルホン）、ＰＥＥＫ（ポリエーテルエーテルケトン）、ＰＰＳ（ポリフェニレンサルファイド）等のポリエーテル系樹脂、ＰＡ（ナイロン／ポリアミド）等のポリアミド系樹脂、生分解性プラスチック、エラストマー等、あるいはそれらの樹脂の各種のブレンドポリマー（ポリマーアロイ）等を用いることができ、それらの樹脂を必要に応じて適宜変更することができる。
【００４０】
また、硬質部材としては、熱硬化性樹脂を用いることもできる。かかる熱硬化性樹脂としては、たとえば、ＥＰ（エポキシ樹脂）、ＰＦ（フェノール樹脂）、ＭＦ（メラミン）、ＦＲＰ（ガラス繊維強化プラスチック）、ＵＲ（ユリア樹脂）、ＰＵＲ（ウレタン樹脂）、ＰＤＡＰ（ジアリルフタレート樹脂）、不飽和ポリエステル樹脂等を用いることができ、それらの樹脂を必要に応じて適宜変更することができる。
【００４１】
さらに、上記実施形態においては、内側レールに封止部材を設けた遊技機について説明したが、封止部材を設置するレール部材は、内側レールに限定されず、外側レールに変更することも可能であるし、内側レール、外側レールの両方に封止部材を設置することも可能である。加えて、前面扉に嵌め込む透明板は、ガラス板に限定されず、アクリル等の透明な樹脂によって形成されたものでも良い。
【００４２】
さらに、レール部材は、封止部材を固着させるための凹状部分を裏面側に設けたもの（長手方向に沿って設けたもの）に限定されず、凹状部分を表面側に設けることも可能である。そのようにレール部材の表面側に凹状部分を設けて封止部材を固着させた場合には、上記の如くピアノ線ゴト行為を効果的に防止することができるのみならず、表面に遊技球が落下した際の衝撃を封止部材がより効果的に吸収できるようになるため、損傷防止効果や防音効果が一段と良好なものとなる。
【００４３】
また、上記実施形態の如く、インサート成形法を利用して封止部材をベース体に融着させる場合には、ベース体に融着させる封止部材の先端側（前側）の部分が外向き（ベース体の円周あるいは円弧の中心に対して外向き）に屈曲または湾曲した形状の金型を利用して成形することが好ましい。そのような金型を利用してインサート成形することにより、封止部材の先端を確実に外向きに屈曲または湾曲させることが可能となる。なお、封止部材の先端を外向きに屈曲または湾曲させることなくベース体に固着させた場合には、前面扉の開閉時に封止部材の先端が内向きに屈曲または湾曲する事態が生じてしまい、遊技領域が見づらくなる虞れがある。
【００４４】
なお、封止部材の先端側を外向きに屈曲または湾曲させる方法は、上記実施形態の如く屈曲または湾曲した形状の金型を用いる方法に限定されず、適宜変更することができ、インサート成形によるベース体への固着後に封止部材の先端側を外向きに屈曲または湾曲させることも可能である。また、封止部材を一体成形する際に用いる成形法としては、たとえば、熱成形、真空成形、圧空成形、押出成形、エアーブロー成形、ガス射出成形、射出圧縮成形、射出膨張成形、射出プレス成形、発泡射出成形法、ガス・カウンター・プレッシャー法、ＵＳＭ法、コ・インジェクション法（サンドイッチ法）、中空射出成形法、ハイブリッド法、配向制御成形、二色（多色）射出成形法、ＲＩＭ成形法、一般射出成形法、低圧縮成形法、超高圧射出成形、積層成形、圧入成形等の方法、またはそれらの内の複数を組み合わせた方法等を用いることができ、それらの成形法にインサート成形技術を必要に応じて組み合わせることができるが、成形法は上記したものに限定されるものではなく、用途に応じて適宜変更することができる。
【産業上の利用可能性】
【００４５】
本発明の遊技機は、上記の如く優れた効果を奏するものであるので、パチンコ機、スマートボール等の各種の遊技機として好適に用いることができる。
【図面の簡単な説明】
【００４６】
【図１】パチンコ機の斜視図である。
【図２】レール部材の正面図である。
【図３】内側レールの正面図である。
【図４】内側レールの底面図である。
【図５】内側レールの設置部分の断面（図３におけるＡ−Ａ線断面）を示す説明図である（ａは、前面扉を開いた状態を示したものであり、ｂは、前面扉を閉じた状態を示したものである）。
【符号の説明】
【００４７】
１・・パチンコ機、３・・遊技盤、４・・前面扉、５・・ガラス板、６・・レール部材、７・・外側レール、８・・内側レール、１０・・封止部材、１８・・凹状部分、２２・・大入賞口（入賞装置）。
【図１】
2008212218.tif 000003
【図２】
2008212218.tif 000004
【図３】
2008212218.tif 000005
【図４】
2008212218.tif 000006
【図５】
2008212218.tif 000007